(57)【要約】【課題】クランキング時のエンジン回転速度の上昇が抑制されても、エンジン回転速度が燃焼開始までの間に共振回転速度と一致しない。【解決手段】  本発明は、エンジンの始動装置においてクランキングを実行するとエンジン（１）に共振を生ずることをクランキング実行前に予測し、クランキング実行中のエンジン（１）の回転速度がエンジン（１）に共振を生ずるエンジン（１）の共振回転速度より低くなるようにモータ（２）を制御することを特徴とする。【選択図】図２
2006152877.tif 000002
【特許請求の範囲】
【請求項１】
エンジンの始動時に燃焼を開始するまで前記エンジンをクランキングするモータと、
前記クランキングを実行すると前記エンジンに共振を生ずることを前記クランキング実行前に予測する共振予測手段と、
前記共振予測手段によって共振が発生すると予測されたとき、前記クランキング実行中の前記エンジンの回転速度が前記エンジンに共振を生ずる前記エンジンの共振回転速度より低くなるように前記モータを制御するモータ制御手段と、
を備えることを特徴とするエンジンの始動装置。
【請求項２】
前記モータ制御手段は、前記共振予測手段によって共振が発生すると予測されないとき、前記クランキング実行中の前記エンジンの回転速度が前記エンジンに共振を生ずる前記エンジンの共振回転速度より高くなるように前記モータを制御することを特徴とする請求項１に記載のエンジンの始動装置。
【請求項３】
前記モータ制御手段は前記モータの回転速度を、前記エンジンの回転速度が前記共振回転速度より低くなるような目標回転速度に制御することを特徴とする請求項１または２に記載のエンジンの始動装置。
【請求項４】
前記モータ制御手段は前記モータのトルクを、前記エンジンの回転速度が前記共振回転速度より低くなるような目標モータトルクに制御することを特徴とする請求項１または２に記載のエンジンの始動装置。
【請求項５】
前記共振予測手段は、前記エンジンの温度が所定温度より低いとき共振が発生すると予測することを特徴とする請求項１から４までのいずれか１項に記載のエンジンの始動装置。
【請求項６】
前記共振予測手段は、前記バッテリの最大出力が所定出力より低いとき共振が発生すると予測することを特徴とする請求項１から４までのいずれか１項に記載のエンジンの始動装置。
【請求項７】
前記共振予測手段は、前記エンジンの温度が所定温度より低く、かつ前記バッテリの最大出力が所定出力より低いとき共振が発生すると予測することを特徴とする請求項１から４までのいずれか１項に記載のエンジンの始動装置。
【請求項８】
前記所定温度は、前記クランキング実行中に前記モータのトルクと、前記エンジンの温度が低下するほど大きくなる前記エンジンのフリクショントルクとが等しくなるときの前記エンジンの回転速度が前記共振回転速度より高くなる前記エンジンの最低温度であることを特徴とする請求項５または７に記載のエンジンの始動装置。
【請求項９】
前記所定出力は、前記クランキング実行中に前記バッテリの出力が低下するほど小さくなる前記モータのトルクと前記エンジンのフリクショントルクとが等しくなるときの前記エンジンの回転速度が前記共振回転速度より高くなる前記バッテリ出力の最低値であることを特徴とする請求項６または７に記載のエンジンの始動装置。
【請求項１０】
前記エンジンの温度は前記エンジンの冷却水温度が高いほど高いと判断されることを特徴とする請求項５、７または８に記載のエンジンの始動装置。
【請求項１１】
前記バッテリの出力はバッテリ液の温度が低いほど小さいと判断されることを特徴とする請求項６、７または９に記載のエンジンの始動装置。
【請求項１２】
前記モータ制御手段によって前記モータを制御したときの前記エンジンの回転速度の上昇幅が、前記モータを最大出力で駆動したときのクランキング時に、前記エンジンが燃焼を開始してからアイドル回転速度に達するまでに上昇する回転速度の上昇幅を超えたとき、前記エンジンが燃焼を開始したと判定する燃焼開始判定手段をさらに備えることを特徴とする請求項１から１１までのいずれか１項に記載のエンジンの始動装置。
【発明の詳細な説明】
【技術分野】
【０００１】
本発明は、特にハイブリッド車両におけるエンジンの始動装置に関するものである。
【背景技術】
【０００２】
走行条件に応じてエンジン及びモータの少なくとも一方の駆動力を用いて走行するハイブリッド車両が知られている。ハイブリッド車両においては、例えばエンジンの効率の悪い発進及び低車速時にモータの駆動力のみで走行し、車速が上昇してからエンジンを始動してエンジンのみまたはモータを併用して走行する。エンジン始動時にはモータを最大出力で回転させてクランキングを行い、燃料噴射及び点火制御による始動制御を行ってエンジンを始動する。
【０００３】
しかし、クランキング時にエンジン回転速度が上昇して駆動力伝達系の共振が発生する回転速度（以下「共振回転速度」という）を通過するとき、駆動力伝達系の共振による振動が車体に伝達され搭乗者に不快感を与えるおそれがある。
【０００４】
そこでクランキング時のエンジン回転速度上昇中に共振回転速度域より低い回転速度において燃料噴射及び点火制御による始動制御を行うことで共振回転速度を通過する時間を短縮して、駆動力伝達系の共振による振動の車体への伝達を抑制しようとする技術が特許文献１に記載されている。
【特許文献１】特開２００２−１５５７７４
【発明の開示】
【発明が解決しようとする課題】
【０００５】
しかし、エンジンが低温のときにはフリクショントルクの増大やバッテリ出力の低下によるモータ出力の低下により、クランキング時のエンジン回転速度の上昇は抑制される。これにより、モータの最大出力によってクランキングを実行してもエンジン回転速度が共振回転速度以上に上昇しない場合には、エンジンが燃焼を開始して自立回転するまでエンジン回転速度は共振回転速度に保持されることになる。よって、駆動力伝達系の共振による振動が車体に伝達され搭乗者に不快感を与えるおそれがある。
【０００６】
さらに、駆動力伝達系の共振によってモータの駆動力が増幅され、モータの駆動軸の耐用年数が低下するおそれがある。
【０００７】
またここで、エンジン回転速度が共振回転速度を超えてから燃料噴射及び点火制御による始動制御を行うようにすると、モータの出力低下によってエンジン回転速度が共振回転速度を超えないときには、始動制御を行うことができず、上記課題を解決することはできない。
【０００８】
本発明は、このような従来の問題点に着目してなされたものであり、エンジンのフリクショントルクの増大やモータ出力の低下によってクランキング時のエンジン回転速度の上昇が抑制されても、燃焼開始までの間に共振回転速度で保持されることがないようモータ出力を制御することができるハイブリッド車両のエンジン始動制御装置を提供することを目的としている。
【課題を解決するための手段】
【０００９】
本発明は以下のような解決手段によって前記課題を解決する。なお、理解を容易にするために本発明の実施形態に対応する符号を付するが、これに限定されるものではない。
【００１０】
本発明は、エンジン（１）の始動時に燃焼を開始するまでエンジン（１）をクランキングするモータ（２）と、クランキングを実行するとエンジン（１）に共振を生ずることをクランキング実行前に予測する共振予測手段（Ｓ１０４、Ｓ２０４）と、共振予測手段（Ｓ１０４、Ｓ２０４）によって共振が発生すると予測されたとき、クランキング実行中のエンジン（１）の回転速度がエンジン（１）に共振を生ずるエンジン（１）の共振回転速度より低くなるようにモータ（２）を制御するモータ制御手段（Ｓ１０５、Ｓ２０５）とを備えることを特徴とする。
【発明の効果】
【００１１】
本発明によれば、クランキング時にフリクショントルクの増大やバッテリ出力の低下によるモータ出力の低下によってクランキング時のエンジン回転速度が共振回転速度と一致する可能性があるときは、エンジンの回転速度が共振回転速度より低い回転速度となるようにモータを制御するので、クランキング時にエンジンなどの駆動力伝達系において共振が発生することを抑制できる。よって、共振による振動が車体に伝達され搭乗者に不快感を与えることを防止できる。
【発明を実施するための最良の形態】
【００１２】
以下では図面等を参照して本発明の実施の形態について詳しく説明する。
【００１３】
（第１実施形態）
図１は、本発明におけるハイブリッド車両のエンジン始動制御装置を示す全体構成図である。エンジン１は、車両の駆動力を発生させるとともにエンジン１の駆動力が不要のときは発電のための駆動力をモータ２へ供給する。
【００１４】
モータ２は、エンジン１の駆動力によって回転して発電する。また、モータ２は駆動軸３を介してエンジン１に駆動力を伝達してクランキングすることでエンジン１を始動させる。さらに、車両の要求駆動力が高いときは発生させた駆動力を遊星歯車５を介して駆動輪４に伝達する。
【００１５】
モータ１３は、駆動輪４と機械的に接続されるように設けられ車両の駆動力を発生させて遊星歯車５を介して駆動輪４へ伝達する。また、モータ１３は車両の惰性走行時に駆動輪４に連れ回されて回転することで車両の運動エネルギーを回生する。
【００１６】
バッテリ６は、モータ２の発電電力及びモータ１３の回生電力を蓄電するとともに、モータ２、１３に駆動電力を供給する。インバータ７はバッテリ６からモータ２、１３へ供給される電力の電圧及びパルス幅を制御することでモータ２、１３のトルク及び回転速度を制御する。
【００１７】
エンジン水温センサ８はエンジン１の冷却水温度を検出する。バッテリ液温センサ９はバッテリ液の温度を検出する。エンジン回転速度センサ１０はクランク角に基づいてエンジン１の回転速度を検出する。イグニッションセンサ１１はエンジン始動信号を検出する。
【００１８】
コントローラ１２は、エンジン水温センサ８、バッテリ液温センサ９、エンジン回転速度センサ１０及びイグニッションセンサ１１からそれぞれ受信したエンジン冷却水温度、バッテリ液温度、エンジン回転速度及びエンジン始動信号に基づいてモータ２、１３の回転速度またはトルクをインバータ７によって制御する。
【００１９】
次にコントローラ１２で行う制御について図２を参照しながら説明する。図２は本実施形態におけるエンジンの始動装置の制御を示したフローチャートである。本制御では、エンジン１の低温始動時にエンジンのフリクショントルクが増大してクランキング時のモータ２の回転速度が共振回転速度で保持されることを防止するために、所定の温度条件のときはモータ２の回転速度が共振回転速度より低くなるようモータ２を制御する。なお、本制御は所定時間（例えば１０ｍｓ）ごとに繰り返し行われている。
【００２０】
ステップＳ１０１では、エンジン始動信号を読み込む。エンジン始動信号はイグニッションセンサ１１によって検出され、運転者のキー操作によって始動する場合及び車両の走行中に走行条件によって始動する場合にＯＮとなる。
【００２１】
ステップＳ１０２では、エンジン始動信号がＯＮであるか否かを判定する。エンジン始動信号がＯＮであればステップＳ１０３へ進み、ＯＦＦであれば処理を終了する。
【００２２】
ステップＳ１０３では、エンジン１の冷却水温度を読み込む。エンジン１の冷却水温度はエンジン水温センサ８によって検出される。
【００２３】
ステップＳ１０４では、エンジン冷却水温度が所定温度Ｔｅより低いか否かを判定する。エンジン冷却水温度が所定温度Ｔｅより低ければステップＳ１０５へ進み、所定温度Ｔｅ以上であればステップＳ１０９へ進む。ここで、エンジン１の温度が低下するとエンジンフリクションが増大するので、モータによるクランキング時のエンジン回転速度は低下する。よって所定温度Ｔｅは、クランキング時にモータトルクとエンジンフリクショントルクとが等しくなるときのエンジン回転速度を共振回転速度より高くすることができる最低温度であり、予め実験などによって求めておく。
【００２４】
ステップＳ１０５では、目標モータ回転速度に基づいてクランキングを実行する。目標モータ回転速度は、クランキング時のエンジン１の回転速度が共振回転速度とならないように共振回転速度より低回転に設定される目標値である。モータ２はパルス幅変調によるフィードバック制御によって目標回転速度に保持される。
【００２５】
ステップＳ１０６では、エンジン１の回転速度を読み込む。エンジン１の回転速度はエンジン回転速度センサ１０によって検出される。
【００２６】
ステップＳ１０７では、エンジン１の回転速度が着火判定回転速度より高いか否かを判定する。エンジン回転速度が着火判定回転速度より高ければステップＳ１０８へ進み、着火判定回転速度以下であれば処理を終了する。着火判定回転速度とは、モータ２を最大出力で駆動したときのクランキング時に、エンジン１が燃焼を開始してからアイドル回転速度に達するまでに上昇する回転速度の上昇幅を、目標モータ回転速度でクランキングを行ったときのエンジン１の回転速度に加算して算出される回転速度である。すなわち、モータ２によるクランキングによってエンジン１が燃焼による自立回転を開始したと判断できるエンジン回転速度である。着火判定回転速度は予め実験などによって求めておく。
【００２７】
ステップＳ１０８では、アイドル回転速度制御を実行する。アイドル回転速度制御とは、エンジン回転速度がアイドル回転速度を保つように行われる燃料噴射量や点火時期の制御である。
【００２８】
一方、ステップＳ１０４においてエンジン冷却水温度が所定温度Ｔｅ以上であると判定されたときはステップＳ１０９へ進み、モータ２の最大出力によって通常のクランキングを実行する。
【００２９】
次に図３を参照しながら本実施形態の作用について説明する。図３はエンジン始動時のタイムチャートである。図３（ａ）はエンジン回転速度、図３（ｂ）は駆動軸トルク、図３（ｃ）はエンジン１の制御状態をそれぞれ示したタイムチャートである。
【００３０】
初めにエンジン始動時の冷却水温度が所定温度Ｔｅ以上である場合について説明する。なお、図３の線図Ａ１及びＢ１がこの場合を示している。時刻ｔ１においてモータ２によるクランキングを開始するとエンジン回転速度及び駆動軸トルクが上昇する。時刻ｔ３においてエンジン回転速度がアイドル回転速度となると、この回転速度を保持するのに必要なトルクでモータ２が駆動されるので駆動軸３トルクは低下する。
【００３１】
時刻ｔ５において燃料に着火して燃焼が開始されるとエンジン１の回転速度は一時的に上昇するが、その後はアイドル回転速度制御によってアイドル回転速度を維持する。また、このときモータ２によるクランキングが停止され、モータ２はエンジン１の自立運転による駆動力によって発電を開始するので駆動軸３には逆向きのトルクが発生する。
【００３２】
次に、エンジン始動時の冷却水温度が所定温度Ｔｅより低い場合であり、かつ本実施形態を適用しない場合について説明する。なお、図３の線図Ａ２及びＢ２がこの場合を示している。時刻ｔ１においてモータ２によるクランキングを開始するとエンジン回転速度及び駆動軸トルクが上昇する。しかし、低温時はエンジン１のフリクションが増大し、さらにバッテリ６の出力も低下するのでモータ２の最大出力によってクランキングを実行してもエンジン１はアイドル回転速度までは上昇しない。この回転速度の落ち込みによって時刻ｔ４においてエンジン１の回転速度が共振回転速度と一致する。これにより動力伝達系の共振により駆動軸トルクが断続的に増幅される。これにより、共振による振動が車体に伝達され搭乗者に不快感を与えるとともに駆動軸トルクの寿命が低下する。
【００３３】
時刻ｔ６において燃料に着火して燃焼が開始されるとエンジン１の回転速度はアイドル回転速度よりやや高回転まで上昇し、その後はアイドル回転速度制御によってアイドル回転速度を維持する。また、このときモータ２によるクランキングが停止され、モータ２はエンジン１の自立運転による駆動力によって発電を開始するので駆動軸３には逆向きのトルクが発生する。
【００３４】
次に、エンジン始動時の冷却水温度が所定温度Ｔｅより低い場合であり、かつ本実施形態を適用した場合について説明する。なお、図３の線図Ａ３及びＢ３がこの場合を示している。時刻ｔ１においてモータ２によるクランキングを開始するとエンジン回転速度及び駆動軸トルクが上昇する。ここで、モータ２の回転速度は目標回転速度に設定され、時刻ｔ２においてエンジン１の回転速度は目標モータ回転速度に対応するモータ出力制限時回転速度まで上昇する。
【００３５】
その後、エンジン回転速度が制限されたまま共振回転速度と一致することなくクランキングは続行され、時刻ｔ６において燃料に着火して燃焼が開始されるとエンジン１の回転速度は上昇し着火判定回転速度を上回るとエンジン１が自立回転を開始したと判断される。エンジン１の回転速度はアイドル回転速度よりやや高回転まで上昇し、その後はアイドル回転速度制御によってアイドル回転速度を維持する。また、このときモータ２によるクランキングが停止され、モータ２はエンジン１の自立運転による駆動力によって発電を開始するので駆動軸３には逆向きのトルクが発生する。
【００３６】
以上のように本実施形態では、エンジン始動時にエンジン１の冷却水温度が所定温度Ｔｅより低いときは、クランキング時のエンジン１の回転速度が共振回転速度と一致しないようにモータ２を制御するので共振の発生を防止できる。よって、共振による振動が車体に伝達されて搭乗者に不快感を与えること、及び共振による駆動力の増幅によって駆動軸３の寿命が低下することを防止できる。
【００３７】
また、クランキング時のエンジン回転速度が共振回転速度より低くなるように、モータ２の回転速度を目標モータ回転速度に制御するので、エンジン回転速度が共振回転速度と一致せず確実に共振を回避することができる。
【００３８】
さらに、エンジン１の冷却水温度が所定温度Ｔｅ以上であるときはモータ２を最大出力にしてクランキングを行うので、より早期にエンジン１の始動を行うことができ、排気の悪化を抑制することができる。
【００３９】
さらにまた、エンジン１の冷却水温度が所定温度Ｔｅより低いときエンジン１のフリクショントルクが増大してクランキング時のモータ２の回転速度が低下することにより、エンジン１の回転速度が共振回転速度と一致して共振が発生すると予測するので、より確実に共振の発生を予測することができる。
【００４０】
さらにまた所定温度は、クランキング実行中のモータトルクとエンジンフリクショントルクとが等しくなるときのエンジン回転速度が共振回転速度より高くなるエンジン１の最低温度に設定されるので、エンジン回転速度が共振回転速度となって共振が発生することをより確実に判断することができる。
【００４１】
さらにまた、エンジン１の温度はエンジンの冷却水温度に基づいて判断するので、新たな装置を設けることなく簡素な構造で共振の発生を予測することができる。
【００４２】
さらにまた着火判定回転速度は、モータ２を最大出力で駆動してクランキングを行った時にエンジン１が燃焼を開始してからアイドル回転速度に達するまでに上昇する回転速度の上昇幅に基づいて設定されるので、エンジン１の燃焼開始をより確実に判定することができる。
【００４３】
（第２実施形態）
本実施形態では全体の構成は第１実施形態と同一であり、エンジン１の始動制御の一部が異なっている。なお、同一の制御を行う部分については適宜説明を省略する。
【００４４】
図４は本実施形態におけるエンジン始動制御装置の制御を示したフローチャートである。本制御では、エンジン１の低温始動時にバッテリ９の出力低下によってモータ２の出力が低下してクランキング時の回転速度が共振回転速度となることを防止するために、所定の温度条件のときはモータ２のトルクを制限してクランキング時のエンジン回転速度が共振回転速度より低くなるように制御する。なお、本制御は所定時間（例えば１０ｍｓ）ごとに繰り返し行われている。
【００４５】
ステップＳ２０１では、エンジン始動信号を読み込む。
【００４６】
ステップＳ２０２では、エンジン始動信号がＯＮであるか否かを判定する。エンジン始動信号がＯＮであればステップＳ２０３へ進み、ＯＦＦであれば処理を終了する。
【００４７】
ステップＳ２０３では、バッテリ液温度を読み込む。バッテリ液温度はバッテリ液温センサ９によって検出される。
【００４８】
ステップＳ２０４では、バッテリ液温度が所定温度Ｔｂより低いか否かを判定する。バッテリ液温度が所定温度Ｔｂより低ければステップＳ２０５へ進み、所定温度Ｔｂ以上であればステップＳ２０９へ進む。ここで、バッテリ液温度が低下するとバッテリ９の出力が低下してモータ２の出力が低下するので、モータ２によるクランキング時のエンジン１の回転速度は低下する。よって、所定温度Ｔｂはクランキング時にエンジン回転速度を共振回転速度より高くすることができる最低温度であり、予め実験などによって求めておく。
【００４９】
ステップＳ２０５では、目標モータトルクに基づいてクランキングを実行する。クランキング時のエンジン１の回転速度は、モータトルクとエンジンフリクショントルクとが釣り合ったときの回転速度である。バッテリ液温度が低温のときはバッテリ出力が低下してモータトルクが低下するので、クランキング時のエンジン１の回転速度は低下する。これによりエンジン回転速度が共振回転速度となると共振が発生する。よって目標モータトルクは、クランキング時にエンジン回転速度が共振回転速度とならないように設定されるモータトルクの目標値であり、予め実験などによって求められる。モータ２はインバータ７によって電圧を制御することで目標モータトルクに保持される。
【００５０】
ステップＳ２０６では、エンジン１の回転速度を読み込む。
【００５１】
ステップＳ２０７では、エンジン１の回転速度が着火判定回転速度より高いか否かを判定する。エンジン回転速度が着火判定回転速度より高ければステップＳ２０８へ進み、着火判定回転速度以下であれば処理を終了する。
【００５２】
ステップＳ２０８では、アイドル回転速度制御を実行する。
【００５３】
一方、ステップＳ２０４においてエンジン冷却水温度が所定温度Ｔｅ以上であると判定されたときはステップＳ２０９へ進み、モータ２の最大出力によって通常のクランキングを実行する。
【００５４】
次に図５を参照しながら本実施形態の作用について説明する。図５はモータ２の回転速度とトルクとの関係及びエンジンフリクショントルクの回転速度とトルクとの関係を示した特性図である。
【００５５】
エンジン始動時のバッテリ液温度が所定温度Ｔｂ以上である場合、モータ２の出力特性は線図Ｃのようになる。この線図Ｃとエンジンフリクショントルクの線図Ｆとが交わるとき、モータトルクとエンジンフリクショントルクとが釣り合って、このときの回転速度Ｎｃがクランキング時のモータ２の回転速度Ｎｃとなる。モータ２の回転速度Ｎｃは共振回転速度Ｎｒより高回転であるので共振が発生することはない。
【００５６】
一方、エンジン始動時のバッテリ液温度が所定温度Ｔｂより低い場合、バッテリ出力の低下によりモータ２の出力が低下し出力特性図は線図Ｄのようになる。この状態でモータ２を最大出力で駆動してクランキングを実行するとモータ２の回転速度は線図Ｄと線図Ｆとの交点における回転速度となる。しかし、この回転速度が共振回転速度Ｎｒと一致しており共振が発生する。
【００５７】
そこで、モータ２のトルクを回転速度が共振回転速度Ｎｒより低下するように目標モータトルクを設定する。これによりモータ２の出力は低下して出力特性は線図Ｅのようになる。この線図Ｅと線図Ｆとの交点における回転速度Ｎｅ、すなわちクランキング時のモータ２の回転速度Ｎｅは共振回転速度Ｎｒより低くなるので共振は発生しない。
【００５８】
以上のように本実施形態では、エンジン始動時にバッテリ液温度が所定温度Ｔｂより低いときは、クランキング時のエンジン１の回転速度が共振回転速度と一致しないようにモータ２を制御するので共振の発生を防止できる。よって、共振による振動が車体に伝達されて搭乗者に不快感を与えること、及び共振による駆動力の増幅によって駆動軸３の寿命が低下することを防止できる。
【００５９】
また、クランキング時のエンジン回転速度が共振回転速度より低くなるようにモータ２のトルクを目標トルクに制御するので、エンジン回転速度が共振回転速度と一致せず確実に共振を回避することができる。さらに、モータ２の回転速度を目標回転速度に制御した場合には、エンジンの燃焼開始後にモータ制御の停止が遅れるとエンジン回転の上昇を妨げるおそれがあるが、本実施形態ではモータ２のトルクを目標トルクに制御しているので、エンジンの燃焼開始後にモータ制御の停止が遅れても、エンジン１の回転速度の上昇を妨げることなく迅速にアイドル回転速度制御へと移行できる。
【００６０】
さらに、バッテリ液温度が所定温度Ｔｂ以上であるときはモータ２を最大出力にしてクランキングを行うので、より早期にエンジン１の始動を行うことができ、排気の悪化を抑制することができる。
【００６１】
さらにまた、バッテリ液の温度が所定温度Ｔｂより低いときバッテリの出力が低下してクランキング時のモータ２の回転速度が低下することにより、エンジン１の回転速度が共振回転速度と一致して共振が発生すると予測するので、より確実に共振の発生を予測することができる。
【００６２】
さらにまた所定温度Ｔｂは、クランキング実行中のモータトルクとエンジンフリクショントルクとが等しくなるときのエンジン回転速度が共振回転速度より高くなるバッテリ液の最低温度に設定されるので、エンジン回転速度が共振回転速度となって共振が発生することをより確実に判断することができる。
【００６３】
さらにまた、バッテリ液の温度が低いほどバッテリ６の出力が小さく、バッテリ６の出力が小さいほどモータ２の出力が小さいと判断するので、バッテリ液の温度に応じてモータ２の発生可能な出力をより確実に判断することができる。
【００６４】
さらにまた着火判定回転速度は、モータ２を最大出力で駆動してクランキングを行った時にエンジン１が燃焼を開始してからアイドル回転速度に達するまでに上昇する回転速度の上昇幅に基づいて設定されるので、エンジン１の燃焼開始をより確実に判定することができる。
【００６５】
以上説明した実施形態に限定されることなく、その技術的思想の範囲内において種々の変形や変更が可能であり、それらも本発明と均等であることは明白である。
【００６６】
例えば第１実施形態ではエンジン１の冷却水温度によって共振の発生を判断し、第２実施形態ではバッテリ９の液温によって共振の発生を判断しているが、いずれの実施形態においてもエンジン１の冷却水温度とバッテリ９の液温との両方によって共振を判断してもよい。これにより、より正確に共振の発生を判断することができる。また、第１実施形態においてバッテリ９の液温によって共振の発生を判断し、第２実施形態においてエンジン１の冷却水温度によって共振の発生を判断してもよい。これにより、前述した実施形態と同様の作用効果を得ることができる。
【００６７】
また、第１実施形態においてエンジン１の冷却水温度が所定温度Ｔｅ以上であるとき、または第２実施形態においてバッテリ液温度が所定温度Ｔｂ以上であるときには、モータ２を最大出力で駆動してクランキングを行っているが、これに限定されることなくクランキング中のエンジン１の回転速度が共振回転速度より高くなるようにモータ２を制御すればよい。
【図面の簡単な説明】
【００６８】
【図１】本発明によるエンジンの始動装置の全体構成図である。
【図２】第１実施形態におけるエンジンの始動装置の制御を示したフローチャートである。
【図３】第１実施形態におけるエンジンの始動装置の制御を示したタイムチャートである。
【図４】第２実施形態におけるエンジンの始動装置の制御を示したフローチャートである。
【図５】モータのトルク特性図である。
【符号の説明】
【００６９】
１  エンジン
２  モータ
３  駆動軸
４  駆動輪
５  遊星歯車
６  バッテリ
７  インバータ
８  エンジン水温センサ
９  バッテリ液温センサ
１０  エンジン回転速度センサ
１１  イグニッションセンサ
１２  コントローラ
１３  モータ
【図１】
2006152877.tif 000003
【図２】
2006152877.tif 000004
【図３】
2006152877.tif 000005
【図４】
2006152877.tif 000006
【図５】
2006152877.tif 000007